【手続補正書】
【提出日】平成17年1月27日(2005.1.27)
【手続補正１】
【補正対象書類名】明細書
【補正対象項目名】特許請求の範囲
【補正方法】変更
【補正の内容】
【特許請求の範囲】
【請求項１】
電極と前記電極に所定間隔を置いて対向配置される他方の電極としての被加工物との間に放電電流パルスを供給するスイッチング回路を備える放電加工用電源装置において、
前記スイッチング回路を搭載する基板の放電電流パルス出力端に一端が連結される金属片と,
前記金属片の周囲に外気を強制対流させるために配置される冷却ファンと、
を備えたことを特徴とする放電加工用電源装置。
【請求項２】
前記金属片の他端は、前記スイッチング回路を構成するスイッチング素子に取り付けられる冷却フィンに電気絶縁材を介して接続されている、
ことを特徴とする請求項１に記載の放電加工用電源装置。
【請求項３】
電極と前記電極に所定間隔を置いて対向配置される他方の電極としての被加工物との間に放電電流パルスを供給するスイッチング回路を備える放電加工用電源装置において、
前記スイッチング回路を搭載する基板の放電電流パルス出力端に一端が連結され、他端が前記スイッチング回路を構成するスイッチング素子に取り付けられる冷却フィンに電気絶縁材を介して接続される金属片、
を備えたことを特徴とする放電加工用電源装置。
【請求項４】
前記金属片の周囲に外気を強制対流させる冷却ファンが配置されている、
ことを特徴とする請求項３に記載の放電加工用電源装置。
【請求項５】
前記金属片の面は、波形状に折り曲げられていることを特徴とする請求項１〜４のいずれか一つに記載の放電加工用電源装置。
【請求項６】
前記金属片は、当該基板に形成される前記スイッチング回路を通る正極性電流路パターンおよび負極性電流路パターンの各出力端の一方または双方に設けられていることを特徴とする請求項１〜５のいずれか一つに記載の放電加工用電源装置。
【手続補正２】
【補正対象書類名】明細書
【補正対象項目名】００１８
【補正方法】変更
【補正の内容】
【００１８】
【課題を解決するための手段】
上記の目的を達成するために、この発明にかかる放電加工用電源装置は、電極と前記電極に所定間隔を置いて対向配置される他方の電極としての被加工物との間に放電電流パルスを供給するスイッチング回路を備える放電加工用電源装置において、前記スイッチング回路を搭載する基板の放電電流パルス出力端に一端が連結される金属片と,前記金属片の周囲に外気を強制対流させるために配置される冷却ファンとを備えたことを特徴とする。
【手続補正３】
【補正対象書類名】明細書
【補正対象項目名】００１９
【補正方法】変更
【補正の内容】
【００１９】
この発明によれば、スイッチング回路を搭載する基板の放電電流パルス出力端側は、電流が集中するので、大きな発熱があるが、この発生した熱は、出力端側に取り付けた金属片に伝播し、放熱される。加えて、金属片は、冷却ファンによって冷却されるので、金属片での放熱が促進される。その結果、基板の放電電流パルス出力端では、温度上昇が抑制される。
【手続補正４】
【補正対象書類名】明細書
【補正対象項目名】００２０
【補正方法】変更
【補正の内容】
【００２０】
つぎの発明にかかる放電加工用電源装置は、上記の発明において、前記金属片の他端は、前記スイッチング回路を構成するスイッチング素子に取り付けられる冷却フィンに電気絶縁材を介して接続されていることを特徴とする。
【手続補正５】
【補正対象書類名】明細書
【補正対象項目名】００２２
【補正方法】変更
【補正の内容】
【００２２】
つぎの発明にかかる放電加工用電源装置は、電極と前記電極に所定間隔を置いて対向配置される他方の電極としての被加工物との間に放電電流パルスを供給するスイッチング回路を備える放電加工用電源装置において、前記スイッチング回路を搭載する基板の放電電流パルス出力端に一端が連結され、他端が前記スイッチング回路を構成するスイッチング素子に取り付けられる冷却フィンに電気絶縁材を介して接続される金属片を備えたことを特徴とする。
【手続補正６】
【補正対象書類名】明細書
【補正対象項目名】００２３
【補正方法】変更
【補正の内容】
【００２３】
この発明によれば、スイッチング回路を搭載する基板の放電電流パルス出力端側は、電流が集中するので、大きな発熱があるが、この発生した熱は、出力端側に取り付けた金属片に伝播し、放熱される。加えて、金属片に伝播した熱は、スイッチング素子に取り付けられる冷却フィンに電気絶縁材を介して伝播し、冷却フィンにて放熱される。その結果、基板の放電電流パルス出力端では、温度上昇が抑制される。
【手続補正７】
【補正対象書類名】明細書
【補正対象項目名】００２４
【補正方法】変更
【補正の内容】
【００２４】
つぎの発明にかかる放電加工用電源装置は、上記の発明において、前記金属片の周囲に外気を強制対流させる冷却ファンが配置されていることを特徴とする。
【手続補正８】
【補正対象書類名】明細書
【補正対象項目名】００２６
【補正方法】変更
【補正の内容】
【００２６】
つぎの発明にかかる放電加工用電源装置は、上記の発明において、前記金属片の面は、波形状に折り曲げられていることを特徴とする。
【手続補正９】
【補正対象書類名】明細書
【補正対象項目名】００２７
【補正方法】変更
【補正の内容】
【００２７】
この発明によれば、上記の発明において、金属片は、面が波形状に折り曲げられて広い放熱面積を持つようになっている。
つぎの発明にかかる放電加工用電源装置は、上記の発明において、前記金属片は、当該基板に形成される前記スイッチング回路を通る正極性電流路パターンおよび負極性電流路パターンの各出力端の一方または双方に設けられていることを特徴とする。
この発明によれば、上記の発明において、基板の放電電流パルス出力端である正極性電流路パターンおよび負極性電流路パターンの各出力端に設けるのが好ましいが、少なくとも一方の出力端に設けるだけでも、温度上昇が抑制される。
【手続補正１０】
【補正対象書類名】明細書
【補正対象項目名】００６６
【補正方法】変更
【補正の内容】
【００６６】
【発明の効果】
以上説明したように、この発明によれば、スイッチング回路を搭載する基板の放電電流パルス出力端側は、電流が集中するので、大きな発熱があるが、この発生した熱は、出力端側に取り付けた金属片に伝播し、放熱される。加えて、金属片は、冷却ファンによって冷却されるので、金属片での放熱が促進される。その結果、基板の放電電流パルス出力端では、温度上昇が抑制される。したがって、流せる電流値の上限値を引き上げることができる。そして、電流路パターン幅を大きくして表面面積を拡大することができ、大電流化と高周波数化を両立させることができるようになる。
【手続補正１１】
【補正対象書類名】明細書
【補正対象項目名】００６８
【補正方法】変更
【補正の内容】
【００６８】
つぎの発明によれば、スイッチング回路を搭載する基板の放電電流パルス出力端側は、電流が集中するので、大きな発熱があるが、この発生した熱は、出力端側に取り付けた金属片に伝播し、放熱される。加えて、金属片は、冷却ファンによって冷却されるので、金属片での放熱が促進される。その結果、基板の放電電流パルス出力端では、温度上昇が抑制される。したがって、流せる電流値の上限値を引き上げることができる。そして、電流路パターン幅を大きくして表面面積を拡大することができ、大電流化と高周波数化を両立させることができるようになる。
【手続補正１２】
【補正対象書類名】明細書
【補正対象項目名】００７０
【補正方法】変更
【補正の内容】
【００７０】
つぎの発明によれば、上記の発明において、金属片は、面が波形状に折り曲げられて広い放熱面積を持つようになっている。したがって、一層の冷却効果が得られる。
つぎの発明によれば、上記の発明において、基板の放電電流パルス出力端である正極性電流路パターンおよび負極性電流路パターンの各出力端に設けるのが好ましいが、少なくとも一方の出力端に設けるだけでも、温度上昇が抑制される。